(57)【要約】【課題】  ユーザの習熟度に応じて表示する情報を異ならせる。【解決手段】  ディスク再生装置は、ユーザの操作の入力を受け付ける操作部と、操作部に入力された操作に基づき実行される処理にエラーが発生した場合（Ｓ０１でＹＥＳ）、該エラーに対応するエラー番号を決定するエラー識別情報発生手段（Ｓ０２）と、エラー識別情報ごとにエラーの発生回数を記憶する記憶手段（Ｓ０３）と、エラーが発生することに応じて、発生されたエラー番号に対応するエラーメッセージまたはエラー番号を表示する表示手段（Ｓ０６またはＳ１０）と、エラーの発生回数が第２のしきい値以上の場合には（Ｓ０９でＹＥＳ）、表示手段による表示情報の表示を禁止する禁止手段（Ｓ１１でＮＯ）と、を備える。【選択図】        図３
2007220213.tif 000002
【特許請求の範囲】
【請求項１】
ユーザの操作の入力を受け付ける操作受付手段と、
前記操作受付手段により受け付けられた操作に基づき実行される処理にエラーが発生した場合、該エラーに対応するエラー識別情報を発生するエラー識別情報発生手段と、
前記エラー識別情報ごとにエラーの発生回数を記憶する誤操作回数記憶手段と、
エラーが発生することに応じて、前記発生されたエラー識別情報に対応する表示情報を表示する表示手段と、
エラーの発生回数が所定の値以上の場合には、前記表示手段による前記表示情報の表示を禁止する制御手段と、を備えた電子機器。
【請求項２】
複数のエラー識別情報各々に対応してエラー情報を記憶する記憶手段をさらに備え、
前記表示手段は、前記発生したエラー識別情報に対応する前記エラー情報と、前記発生したエラー識別情報との少なくとも１つを選択する選択手段を含む、請求項１に記載の電子機器。
【請求項３】
前記操作受付手段は、表示情報を切換えるための切換指示の入力を受け付ける切換指示受付手段を含み、
前記制御手段は、前記表示手段による前記表示情報の表示を禁止させている状態で、前記切換指示が受け付けられることに応じて、前記表示情報による前記表示情報の表示の禁止を解除する解除手段を含む、請求項１に記載の電子機器。
【請求項４】
ユーザの操作の入力を受け付けるステップと、
前記操作受付ステップにより受け付けられた操作に基づき実行される処理にエラーが発生した場合、該エラーに対応するエラー識別情報を発生するステップと、
前記エラー識別情報ごとにエラーの発生回数を記憶するステップと、
エラーの発生に応じて、前記発生されたエラー識別情報に対応する表示情報を表示するステップと、
エラーの発生回数が所定の値以上の場合には、前記表示ステップによる前記表示情報の表示を禁止するステップと、を電子機器に実行させる誤操作警告方法。
【発明の詳細な説明】
【技術分野】
【０００１】
この発明は電子機器および誤操作警告方法に関し、特に誤操作に応じてその誤操作に対応する警告を表示する電子機器に関する。
【背景技術】
【０００２】
現在、市場に流通しているＤＶＤ再生装置等の電子機器では、ユーザが誤った操作をした場合、その誤操作の内容または対処方法などを含むエラーメッセージをテレビ画面に表示して、ユーザに警告する、または対処方法を報知する機能を備えている。しかしながら、ユーザが同じ誤操作を繰り返したときは、同じエラーメッセージが表示される。機器の操作に習熟しているユーザが同じ誤操作を繰り替えしてしまう場合があり、エラーメッセージが表示された段階で、その操作が誤りであったことを思い出す場合がある。この場合には、ユーザは、過去の経験から誤操作の原因または対処方法を既に知っているので、エラーメッセージが表示されることがユーザに煩わしいものとなってしまう。
【０００３】
特開平９−１１４４８０号公報（特許文献１）には、電子機器の状態を検出する検出手段と、検出手段からの状態情報に応答して音声メッセージを出力する音声出力手段とを備えた音声出力装置において、警告音を出力する警告音出力手段と、前記検出手段により検出される状態情報の発生頻度を検出する頻度検出手段と、その頻度検出手段からの前記状態情報の発生頻度に応じて前記音声出力手段による音声メッセージ出力と前記警告音出力手段による警告音出力との何れかを選択する制御手段とを備えたことを特徴とする音声出力装置が記載されている。
【０００４】
しかしながら、特開平９−１１４４８０号公報に記載の音声出力装置は、状態情報の発生頻度に応じて音声メッセージ出力と警告音出力との何れかが選択されるので、誤操作をした場合には、必ず音声による警告がなされる。ユーザは、何度も同じ誤操作を入力した場合には、誤操作であることを音で知らされることさえ煩わしく感じることがある。
【特許文献１】特開平９−１１４４８０号公報
【発明の開示】
【発明が解決しようとする課題】
【０００５】
この発明は上述した問題点を解決するためになされたもので、この発明の目的の１つは、ユーザの習熟度に応じて表示する情報を異ならせることが可能な電子機器を提供することである。
【０００６】
この発明の他の目的は、ユーザの習熟度に応じて表示する情報を異ならせることが可能な誤操作警告方法を提供することである。
【課題を解決するための手段】
【０００７】
上述した目的を達成するために、この発明のある局面によれば、電子機器は、ユーザの操作の入力を受け付ける操作受付手段と、操作受付手段により受け付けられた操作に基づき実行される処理にエラーが発生した場合、該エラーに対応するエラー識別情報を発生するエラー識別情報発生手段と、エラー識別情報ごとにエラーの発生回数を記憶する誤操作回数記憶手段と、エラーが発生することに応じて、発生されたエラー識別情報に対応する表示情報を表示する表示手段と、エラーの発生回数が所定の値以上の場合には、表示手段による表示情報の表示を禁止する制御手段と、を備える。
【０００８】
この局面に従えば、ユーザにより入力された操作に基づき実行される処理にエラーが発生した場合、そのエラーに対応するエラー識別情報が発生され、発生されたエラー識別情報に対応する表示情報が表示されるが、エラーの発生回数が所定の値以上の場合には、表示情報の表示が禁止される。このため、ユーザによる操作の入力に基づいてエラーが発生すると、表示情報を表示してユーザに誤操作であることを知らせることができる一方、同じ誤操作が何度も入力された場合には、表示情報を表示しないようにしてユーザに煩わしさを与えるのを回避することができる。その結果、ユーザの習熟度に応じて表示する情報を異ならせることが可能な電子機器を提供することができる。
【０００９】
好ましくは、複数のエラー識別情報各々に対応してエラー情報を記憶する記憶手段をさらに備え、表示手段は、発生したエラー識別情報に対応するエラー情報と、発生したエラー識別情報との少なくとも１つを選択する選択手段を含む。
【００１０】
この局面に従えば、発生したエラー識別情報に対応するエラー情報と、発生したエラー識別情報との少なくとも１つが選択されて表示される。誤操作の発生回数に応じて、エラー情報とエラー識別情報とのいずれかの表示情報、または双方の表示情報が表示されるので、３通りの表示方法のうちからいずれかを選択して表示することができる。
【００１１】
好ましくは、操作受付手段は、表示情報を切換えるための切換指示の入力を受け付ける切換指示受付手段を含み、制御手段は、表示手段による表示情報の表示を禁止させている状態で、切換指示が受け付けられることに応じて、表示情報による表示情報の表示の禁止を解除する解除手段を含む。
【００１２】
この局面に従えば、表示情報の表示を禁止させている状態で、切換指示が受け付けられると、表示情報の表示の禁止が解除されて、表示情報が表示される。このため、ユーザの必要に応じて表示情報を表示することができる。
【００１３】
この発明の他の局面によれば、誤操作警告方法は、ユーザの操作の入力を受け付けるステップと、操作受付ステップにより受け付けられた操作に基づき実行される処理にエラーが発生した場合、該エラーに対応するエラー識別情報を発生するステップと、エラー識別情報ごとにエラーの発生回数を記憶するステップと、エラーの発生に応じて、発生されたエラー識別情報に対応する表示情報を表示するステップと、エラーの発生回数が所定の値以上の場合には、表示ステップによる表示情報の表示を禁止するステップと、を電子機器に実行させる。
【００１４】
この局面に従えば、ユーザの習熟度に応じて表示する情報を異ならせることが可能な誤操作警告方法を提供することができる。
【発明を実施するための最良の形態】
【００１５】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１６】
図１は、本発明の実施の形態の１つにおけるディスク再生装置の全体構成を示す図である。図１を参照して、ディスク再生装置１００は、画像および音声を圧縮符号化した画像データおよび音声データを記録したＤＶＤ２０が装着され、そのＤＶＤ２０から画像データおよび音声データを読み出して画像および音声を再生する。
【００１７】
ディスク再生装置１００は、ディスク再生装置１００の全体を制御するシステムコントローラ１０と、それぞれがシステムコントローラ１０に接続されたＬＡＮ（Ｌｏｃａｌ  Ａｒｅａ  Ｎｅｔｗｏｒｋ）インターフェース１５、操作部１２、表示部１３、読み出し用バッファ２６、再生バッファメモリ３８、デマルチプレクサ３１、オンスクリーンディスプレイ（ＯＳＤ）回路３７、オーディオ回路４１および記憶部４０とを含む。
【００１８】
ＤＶＤ２０は、スピンドルモータ２２によって回転される。サーボ回路２３は、スピンドルモータ２２の回転数、ピックアップ２１のフォーカスサーボおよびトラッキングサーボを制御する。ＤＶＤ２０に記録されたタイトルを再生する場合、ＤＶＤ２０に記録されたデータは、ピックアップ２１により読み取られる。ピックアップ２１は、ＤＶＤ２０で反射した光を受光し、受光した光を光電変換素子により電気信号に変換して、復調部２４に出力する。復調部２４に入力される電気信号は、ＤＶＤ２０への記録に適した信号に変調された信号であるため、復調部２４はこれを復調して元の形に戻す。誤り訂正部２５は、リードソロモン積符号（ＲＳ−ＰＣ）の訂正方式でエラー訂正し、エラー訂正したデータを読み出し用バッファ２６に記憶する。
【００１９】
システムコントローラ１０は、読み出し用バッファ２６からビデオＰＥＳ（Ｐａｃｋｅｔｉｚｅｄ  Ｅｌｅｍｅｎｔａｒｙ  Ｓｔｒｅａｍ）とオーディオＰＥＳとを読み出して再生バッファメモリ３８に記憶する。
【００２０】
再生バッファメモリ３８に記憶されたビデオＰＥＳとオーディオＰＥＳとは、デマルチプレクサ３１で読み取られ、デマルチプレクサ３１は、ビデオＰＥＳをＭＰＥＧビデオデコーダ３２に出力し、オーディオＰＥＳをオーディオ回路４１に出力する。オーディオＰＥＳは、メインオーディオの音声ストリームと、サブオーディオの音声ストリームと、エフェクトオーディオの音声ストリームとの３種類を含む。オーディオ回路４１は、システムコントローラ１０により制御され、３種類の音声ストリームを処理して、デジタル出力端子ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）４２、Ｓ／ＰＤＩＦ（Ｓｏｎｙ／Ｐｈｉｌｉｐｓ  Ｄｉｇｉｔａｌ  Ｉｎｔｅｒｆａｃｅ）４３およびアナログ出力端子４４から音声データを出力する。デジタル出力端子ＨＤＭＩ４２、Ｓ／ＰＤＩＦ４３は、通信規格が異なるのみで、出力するデータは同じである。このため、ディスク再生装置１００は、単一のデジタル出力端子を備える。
【００２１】
ＭＰＥＧビデオデコーダ３２は、入力されたビデオＰＥＳをＭＰＥＧ方式で復号し、復号したビデオデータをビデオエンコーダ３３に出力する。ビデオエンコーダ３３は、ビデオデータをＮＴＳＣ方式にエンコードし、ビデオ信号をビデオ回路３４に出力する。ビデオ回路３４は、ビデオ信号をデジタル／アナログ（Ｄ／Ａ）変換して、加算器３５に出力する。
【００２２】
ＯＳＤ回路３７は、システムコントローラ１０から出力指示された文字情報に基づくビットマップデータを加算器３５に出力する。ＯＳＤ回路３７により、後述するエラー番号、エラーメッセージまたは識別記号を表示するエラー表示画面が加算器３５に出力される。加算器３５は、ビデオ回路３４から入力されるビデオ信号の画像に、ＯＳＤ回路３７から入力されるエラー表示画面を重畳して、ビデオ出力端子３６に出力する。ビデオ出力端子３６は、たとえば、テレビジョン受像機と接続され、ビデオ信号の映像、または、ＯＳＤ回路３７からエラー表示画面が出力される場合にはビデオ信号の映像にエラー表示画面を重畳した映像を、テレビジョン受像機に出力する。
【００２３】
ＬＡＮインターフェース１５は、ディスク再生装置１００をインターネット１６に接続するための通信用のインターフェースである。ここでは、ＬＡＮインターフェース１５は、インターネット１６に接続されており、システムコントローラ１０は、そのインターネット１６に接続されたコンピュータ１７と通信可能となっている。コンピュータ１７は、ＭＰＥＧ規格で圧縮符号化されたデータを蓄積しており、ディスク再生装置１００からの要求により、蓄積したデータを送信する。このため、ディスク再生装置１００は、コンピュータ１７からデータを受信して、上述したＤＶＤ２０から読み出したデータと同様にして、映像および音声を再生する。
【００２４】
操作部１２は、ディスク再生装置１００の前面に備えられた複数のボタンスイッチを有する。操作部１２では、ディスク再生装置１００を操作するユーザの指示の入力が受付けられる。また、操作部１２は、リモートコントローラ（リモコン）１４と赤外線による無線通信が可能となっている。リモコン１４は、操作部１２と同様の指示を入力するためのボタンスイッチを有する。このため、ユーザは、操作部１２に入力するのと同様の指示を、リモコン１４を用いて入力することができる。なお、リモコン１４と操作部１２との間の通信は、赤外線による無線通信に限られず、無線通信であれば電磁波を用いた通信であってもよい。
【００２５】
表示部１３は、液晶表示装置であり、ディスク再生装置１００の動作状態の表示、操作部１２に入力されたユーザの指示の表示等を行う。なお、液晶表示装置に代えて、または、それとともに有機エレクトロルミネッセンスディスプレイ、ＬＥＤ（Ｌｉｇｈｔ  Ｅｍｉｔｔｉｎｇ  Ｄｉｏｄｅ）パネル等を用いてもよい。
【００２６】
記憶部４０は、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性のメモリである。記憶部４０は、不揮発性の記憶装置であれば、例えば、ハードディスクドライブなどの磁気記憶装置であってもよい。記憶部４０は、エラーテーブル４０Ａを予め記憶する。
【００２７】
図２は、エラーテーブルのフォーマットの一例を示す図である。図２を参照して、エラーテーブル４０Ａは、エラー番号と、エラー回数と、エラーメッセージと、記号とを関連付けたエラーデータを含む。エラー番号は、ディスク再生装置１００が正常に動作しない状態を識別するために、予め定められた識別情報である。例えば、コンピュータ１７との通信が確立しない状態に対してエラー番号が割り当てられる。エラー回数は、エラー番号が割り当てられた状態が発生した累積回数である。エラーメッセージは、エラー番号に対応して予め定められたメッセージである。エラーメッセージは、エラー番号に対応するディスク再生装置１００の状態を説明するメッセージ、その状態を回避するための操作を説明するためのメッセージ等を含む。例えば、コンピュータ１７との通信が確立しない状態に対して「コンピュータと接続できませんでした。ネットワーク接続を確認してください。」等である。記号は、エラー番号に対応して予め定められ、エラー番号を識別するためのイメージ情報である。記号は、エラー番号に１対１に対応する必要はなく、関連する複数のエラー番号に１つが対応してもよい。例えば、ＤＶＤ２０の読取に関する複数のエラー番号に対して１つの記号を対応付け、ネットワーク通信に関する複数のエラー番号に対して１つの記号を対応付ける等である。エラーメッセージと記号とは、エラー識別情報であるエラー番号に対応するエラー情報である。
【００２８】
システムコントローラは、ユーザが操作部１２に操作指示を入力すると、操作部１２から操作指示を受け付け、受け付けた操作指示に従って処理を実行する。そして、操作に従った処理を実行できない場合には、次に示す誤操作警告処理を実行する。
【００２９】
図３は、システムコントローラで実行される誤操作警告処理の流れの一例を示すフローチャートである。図３を参照して、システムコントローラ１０は、処理を実行した結果、エラーが発生したか否かを判断する（ステップＳ０１）。エラーが発生するまで待機状態となり（ステップＳ０１でＮＯ）、エラーが発生した場合には処理をステップＳ０２に進める。すなわち、誤操作警告処理は、ディスク再生装置１００で処理を実行できないエラーが発生することを条件にシステムコントローラ１０で実行される処理である。
【００３０】
ステップＳ０２では、発生したエラーに対応するエラー番号を決定する。そして、エラー番号に対応して、エラーテーブル４０Ａに記憶されているエラー回数Ｎを１増加した値（Ｎ＋１）に更新し（ステップＳ０３）、更新したエラー回数Ｎを取得する（ステップＳ０４）。次に、更新したエラー回数Ｎが第１しきい値以上か否かを判断し（ステップＳ０５）、エラー回数Ｎが第１しきい値以上であれば処理をステップＳ０９に進め、そうでなければ処理をステップＳ０６に進める。ステップＳ０６では、エラーテーブル４０ＡからステップＳ０２で決定したエラー番号に対応するエラーメッセージを読み出し、ＯＳＤ回路３７に、エラー番号とエラーメッセージを出力して、テレビジョン受像機のディスプレイにエラー番号とエラーメッセージとを表示させる。そして、操作部１２が備えるリターンボタンが押下されたか否かを判断し（ステップＳ０７）、リターンボタンが押下されるまで待機状態となり（ステップＳ０７でＮＯ）、リターンボタンが押下されたならば処理をステップＳ０８に進める。ステップＳ０８において、ＯＳＤ回路３７によるエラー番号とエラーメッセージの表示を中止させる。これにより、テレビジョン受像機のディスプレイからエラー番号とエラーメッセージの表示が消去される。
【００３１】
一方、エラー回数Ｎが第１しきい値以上であれば、ステップＳ０９において、エラー回数Ｎが第１しきい値よりも大きな第２しきい値以上であるか否かを判断する。エラー回数Ｎが第２しきい値以上であれば処理をステップＳ１１に進め、そうでなければ処理をステップＳ１０に進める。ステップＳ１０において、システムコントローラ１０は、ステップＳ０２で決定したエラー番号をＯＳＤ回路３７に出力して、テレビジョン受像機のディスプレイにエラー番号を表示させる。第１しきい値以上のエラーが発生した場合には、ユーザは、エラーメッセージを少なくとも第１しきい値の回数見ているため、エラー番号を見ればエラーメッセージの内容を思い出すことができるからである。さらに、第２しきい値以上のエラーが発生した場合には、ユーザは、エラーメッセージを少なくとも第１しきい値の回数見ており、さらにエラー番号を少なくとも第２しきい値の回数見ているため、エラー番号を見なくても、操作に対してどのようなエラーが発生したかを把握することができるからである。
【００３２】
ステップＳ１１では、操作部１２が備えるエラー表示ボタンが押下されたか否かを判断し、エラー表示ボタンが押下されると処理をステップＳ０６に進め、エラー表示ボタンが押下されなければ処理をステップＳ０７に進める。システムコントローラ１０は、エラー表示ボタンが押下されると、ステップＳ０６において、エラーテーブル４０ＡからステップＳ０２で決定したエラー番号に対応するエラーメッセージを読み出し、ＯＳＤ回路３７に、エラー番号とエラーメッセージを出力して、テレビジョン受像機のディスプレイにエラー番号とエラーメッセージとを表示させる。エラーメッセージが表示されるので、ユーザがエラー番号だけからエラーメッセージの内容を把握できない場合、または、エラー番号が表示されずに操作だけからどのようなエラーが発生したかを把握できない場合、エラー番号およびエラーメッセージが表示されるので、エラーメッセージの内容を知ることができる。
【００３３】
一方、エラー表示ボタンが押下されず（ステップＳ１１でＮＯ）、リターンボタンが押下された場合には、ステップＳ０８で、テレビジョン受像機のディスプレイにエラー番号が表示されている場合にはエラー番号の表示が消去されてステップＳ０１に戻る。テレビジョン受像機のディスプレイにエラー番号が表示されていない場合には、そのままステップＳ０１に戻る。このため、ユーザによる新たに別の操作指示の入力を受け付けることが可能な状態となる。
【００３４】
以上説明したように本実施の形態におけるディスク再生装置１００は、ユーザにより入力された操作に基づき実行される処理にエラーが発生した場合、そのエラーに対応するエラー番号が発生され（ステップＳ０２）、発生されたエラー番号に対応して予め定められたエラーメッセージが表示される（ステップＳ０６）、またはエラー番号が表示される（ステップＳ１０）。しかしながら、エラーの発生回数が第２のしきい値以上の場合には（ステップＳ０９でＹＳＥ）、エラーメッセージの表示が禁止される（ステップＳ０６とステップＳ１０を実行しない）。このため、ユーザによる操作の入力に基づいてエラーが発生すると、エラーメッセージまたはエラー番号を表示してユーザに誤操作であることを知らせることができる一方、同じ誤操作が何度も入力された場合には、エラーメッセージを表示しないようにしてユーザに煩わしさを与えるのを回避することができる。また、ユーザの習熟度に応じて表示する情報を異ならせることができる。
【００３５】
また、ディスク再生装置１００は、エラーの発生回数が第１のしきい値より小さい場合には（ステップＳ０５でＮＯ）、エラー番号に対応するエラーメッセージとエラー番号とを表示し（ステップＳ０６）、エラーの発生回数が第１のしきい値以上の場合には（ステップＳ０５でＹＥＳ）、エラーメッセージを表示することなくエラー番号のみを表示する（ステップＳ１０）。このため、ユーザの習熟度に応じて表示する情報を異ならせることができる。
【００３６】
さらに、ディスク再生装置１００は、エラーの発生回数が第２のしきい値以上でエラー番号およびエラーメッセージのいずれも表示されない状態で（ステップＳ０９でＹＥＳ）、エラー表示ボタンの押下が受け付けられると、エラー番号およびエラーメッセージを表示する（ステップＳ０６）。このため、ユーザが操作に対応するエラーの内容等を思い出せない場合等にエラー番号およびエラーメッセージを表示して、エラーの内容をユーザに知らせることができる。
【００３７】
なお、上述した実施の形態においては、エラー情報としてエラーメッセージを表示する例を示したが、エラーメッセージに変えて記号を表示するようにしてもよいし、エラーメッセージと記号とを表示するようにしてもよい。また、上述した実施の形態においては、ディスク再生装置１００について説明したが、ユーザが入力する操作指示に基づいて処理を実行する電子機器であれば、例えばテレビジョン受像機、ビデオレコーダ、コンピュータ等の電子機器であってもよい。また、図３に示した誤操作警告処理を電子機器に実行させるための誤操作警告方法として発明を捉えることができるのはいうまでもない。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３９】
＜付記＞
（１）  前記選択手段は、前記発生されたエラー識別情報の発生回数が、前記所定の値より小さなしきい値より小さければ前記エラー情報を選択し、前記しきい値以上ならば前記エラー情報を選択しない、請求項２に記載の電子機器。
（２）  （１）において、前記選択手段は、前記発生されたエラー識別情報の発生回数が、前記所定の値より小さければ前記エラー識別情報を選択し、前記所定の値以上ならば前記エラー識別情報を選択しない。
（３）  前記エラーメッセージは、前記エラー識別情報各々に対応するエラーメッセージと識別記号とを含む、請求項１に記載の電子機器。
【図面の簡単な説明】
【００４０】
【図１】本発明の実施の形態の１つにおけるディスク再生装置の全体構成を示す図である。
【図２】エラーテーブルのフォーマットの一例を示す図である。
【図３】誤操作警告処理の流れの一例を示すフローチャートである。
【符号の説明】
【００４１】
１０  システムコントローラ、１２  操作部、１３  表示部、１４  リモコン、１５  ＬＡＮインターフェース、１６  インターネット、１７  コンピュータ、２０  ＤＶＤ、２１  ピックアップ、２２  スピンドルモータ、２３  サーボ回路、２４  復調部、２５  誤り訂正部、２６  読み取り用バッファ、３１  デマルチプレクサ、３２  ＭＰＥＧビデオデコーダ、３３  ビデオエンコーダ、３４  ビデオ回路、３５  加算器、３６  ビデオ出力端子、３７  ＯＳＤ回路、３８  再生バッファメモリ、４０  記憶部、４０Ａ  エラーテーブル、４１  オーディオ回路、４２  ＨＤＭＩ、４３  Ｓ／ＰＤＩＦ、４４  アナログ出力端子、１００  ディスク再生装置。
【図１】
2007220213.tif 000003
【図２】
2007220213.tif 000004
【図３】
2007220213.tif 000005